(57)【要約】【課題】既存のインフラを活用しつつ、放送受信のみでマルチセグメント放送の選局を可能とする普遍的な選局を実現することができるようにする。【解決手段】所定の物理チャンネルの予め定められたセグメント位置に配置される中央セグメントを選局し、選局された中央セグメントにおいて放送されるトランスポートストリームに含まれる情報であって、所定の物理チャンネル内の複数のセグメントのＯＦＤＭ同期に係る情報が記述された連結送信記述子が取得されたか否かを判定し、連結送信記述子が取得された場合、物理チャンネル内の中央セグメント以外のセグメントを順次選局し、選局された各セグメントのトランスポートストリームに含まれる選局情報を取得して選局テーブルを作成する。【選択図】図２５
2013055568.tif 000002
【特許請求の範囲】
【請求項１】
放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、
前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、
前記連結送信記述子が取得された場合、前記物理チャンネル内の中央セグメント以外のセグメントを順次選局する他セグメント選局部と、
前記選局された各セグメントのトランスポートストリームに含まれる選局情報を取得して選局テーブルを作成する選局テーブル作成部と
を備える放送波受信装置。
【請求項２】
前記放送波は、地上波デジタル放送の放送波であり、
前記記述子判定部は、
前記中央セグメントにおいて放送されるトランスポートストリームに含まれるＮＩＴ（Network Information Table）を取得し、
前記ＮＩＴに前記連結送信記述子が含まれているか否かを判定することで、前記連結送信記述子が取得されたか否かを判定する
請求項１に記載の放送波受信装置。
【請求項３】
前記放送波は、地上波デジタル放送の放送波であり、
前記記述子判定部は、
前記中央セグメントにおいて放送されるトランスポートストリームに含まれるＮＩＴ actualを取得し、
前記ＮＩＴ actualに前記連結送信記述子が含まれているか否かを判定することで、前記連結送信記述子が取得されたか否かを判定し、
前記他セグメント選局部は、
前記中央セグメントにおいて放送されるトランスポートストリームに含まれるＮＩＴ otherを取得し、
前記ＮＩＴ otherに記述された情報に基づいて、前記中央セグメント以外のセグメントのセグメント位置を特定して選局する
請求項１に記載の放送波受信装置。
【請求項４】
前記他セグメント選局部は、
前記連結送信記述子の記述に基づいて、前記所定の物理チャンネルの中のセカンダリセグメントのセグメント位置を特定して前記セカンダリセグメントを選局し、
前記セカンダリセグメントにおいて放送されるトランスポートストリームに含まれる情報に基づいて、前記中央セグメント以外のセグメントのセグメント位置を特定して選局する
請求項１に記載の放送波受信装置。
【請求項５】
前記他セグメント選局部は、
前記連結送信記述子に記述されたビットマップに基づいて、前記中央セグメント以外のセグメントのセグメント位置を特定して選局する
請求項１に記載の放送波受信装置。
【請求項６】
中央セグメント選局部が、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局し、
記述子判定部が、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定し、
他セグメント選局部が、前記連結送信記述子が取得された場合、前記物理チャンネル内の中央セグメント以外のセグメントを順次選局し、
選局テーブル作成部が、前記選局された各セグメントのトランスポートストリームに含まれる選局情報を取得して選局テーブルを作成するステップ
を含む放送波受信方法。
【請求項７】
コンピュータを、
放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、
前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、
前記連結送信記述子が取得された場合、前記物理チャンネル内の中央セグメント以外のセグメントを順次選局する他セグメント選局部と、
前記選局された各セグメントのトランスポートストリームに含まれる選局情報を取得して選局テーブルを作成する選局テーブル作成部とを備える放送波受信装置として機能させる
プログラム。
【請求項８】
請求項７に記載のプログラムが記録されている記録媒体。
【請求項９】
放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、
前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、
前記多重化されて得られたトランスポートストリームを、前記中央セグメントの放送波として送信する送信部とを備え、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる
放送波送信装置。
【請求項１０】
前記放送波は、地上波デジタル放送の放送波であり、
前記関連情報生成部は、
前記中央セグメントにおいて放送されるトランスポートストリームに含まれるＮＩＴ（Network Information Table）の一部に記述される、前記所定の物理チャンネル内の複数のセグメントのＯＦＤＭ同期に係る情報が記述された連結送信記述子を、前記マルチセグメント放送が行われることを表す情報として生成する
請求項９に記載の放送波送信装置。
【請求項１１】
前記放送波は、地上波デジタル放送の放送波であり、
前記関連情報生成部は、
前記中央セグメントにおいて放送されるトランスポートストリームに含まれるＮＩＴ actualの一部に記述される、前記所定の物理チャンネル内の複数のセグメントのＯＦＤＭ同期に係る情報が記述された連結送信記述子を、前記マルチセグメント放送が行われることを表す情報として生成し、
前記中央セグメントにおいて放送されるトランスポートストリームに含まれるＮＩＴ otherに記述される情報として、前記所定の物理チャンネル内の中央セグメント以外のセグメントのセグメント位置を特定するための情報を生成する
請求項９に記載の放送波送信装置。
【請求項１２】
前記放送波は、地上波デジタル放送の放送波であり、
前記関連情報生成部は、
前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、
前記連結送信記述子に、前記所定の物理チャンネルの中のセカンダリセグメントのセグメント位置を特定する情報を記述し、
前記セカンダリセグメントにおいて放送されるトランスポートストリームに、前記所定の物理チャンネル内の中央セグメント以外のセグメントのセグメント位置を特定するための情報が含まれる
請求項９に記載の放送波送信装置。
【請求項１３】
前記放送波は、地上波デジタル放送の放送波であり、
前記関連情報生成部は、
前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、
前記連結送信記述子に記述されるビットマップを、前記所定の物理チャンネル内の中央セグメント以外のセグメントのセグメント位置を特定するための情報として生成する
請求項９に記載の放送波送信装置。
【請求項１４】
関連情報生成部が、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成し、
多重化部が、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化し、
送信部が、前記多重化されて得られたトランスポートストリームを、前記中央セグメントの放送波として送信しステップを含み、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる
放送波送信方法。
【請求項１５】
コンピュータを、
放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、
前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、
前記多重化されて得られたトランスポートストリームを、前記中央セグメントの放送波として送信する送信部とを備え、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる放送波送信装置として機能させる
プログラム。
【請求項１６】
請求項１５に記載のプログラムが記録されている記録媒体。
【発明の詳細な説明】
【技術分野】
【０００１】
本技術は、放送波受信装置および方法、放送波送信装置および方法、プログラム、並びに記録媒体に関し、特に、既存のインフラを活用しつつ、放送受信のみでマルチセグメント放送の選局を可能とする普遍的な選局を実現することができるようにする放送波受信装置および方法、放送波送信装置および方法、プログラム、並びに記録媒体に関する。
【背景技術】
【０００２】
近年、ＵＨＦ（Ultra High Frequency）帯において地上波デジタル放送が実施されている。地上波デジタル放送の物理チャンネルは１３セグメントに分割され、そのうちの１セグメント分の帯域で携帯端末向け放送が行われる。そして、残りの１２セグメント分の帯域で、テレビジョン受像機などの固定端末向けの放送が行われる（例えば、特許文献１参照）。
【０００３】
携帯端末向け１セグメント放送対応端末は、例えば、携帯電話を中心に既に広く普及していて、現状では固定端末向けの放送と同じ内容の放送が行われている。なお、携帯端末向け１セグメント放送は、一般に１セグ放送と称される。
【０００４】
一方でＵＨＦ帯の１３チャンネル乃至５２チャンネルのうち、各地域で実際に上記の地上デジタル放送が行われているチャンネル以外の空きチャンネルが多く存在しており、有効利用が検討されている。特に、物理チャンネル内の１３セグメント分をフルに利用して多くの１セグ放送を同時に送出可能なマルチセグメント放送が有力な利用方法として認識されつつある。
【０００５】
例えば、地上波デジタル放送波には、１３乃至５２チャンネルのうち、各地域で実際に地上波デジタル放送が行われているチャンネル以外の空きチャンネルが多く存在する。そのため、この空きチャンネルを有効利用する方法が検討されている。
【０００６】
マルチセグメント放送のサービスモデルとしては、例えば、以下の２つが考えられている。
【０００７】
１つは、１セグ再送信と称される方式であり、例えば、地下街等の電波の届きにくいエリアで、地上デジタル放送の１セグ放送をまとめて、マルチセグメントとして再送信するサービスである。
【０００８】
他の１つは、エリア限定放送と称される（コミュニティ放送とも称される）方式であり、例えば、人の集まるエリアにおいて、エリア限定の１セグ放送を複数のチャンネルを利用して多面的に行うサービスである。
【先行技術文献】
【特許文献】
【０００９】
【特許文献１】特開２００７−３２９８４７号公報
【発明の開示】
【発明が解決しようとする課題】
【００１０】
ところで、従来の携帯端末は、各物理チャンネルの中央セグメントのＴＳ（Transport Stream）をスキャンして、そのＴＳに含まれている自セグメントのＮＩＴ（Network Information Table）から選局情報を取得するようになされている。
【００１１】
従って、空きチャンネルでマルチセグメント放送が行われる場合、その空きチャンネルの中央セグメントの選局情報は取得できるが、中央セグメント以外のセグメントの選局情報は取得できない。このため、従来の携帯端末などの１セグ受信端末では、マルチセグメント放送の選局を自在に行うことができなかった。
【００１２】
１つの物理チャンネルにおいて複数の１セグ放送の信号を重畳した電波を送出し、受信する実験は既に行われている。しかし、この場合、各セグメントの周波数情報を、放送以外の手段で受信端末に通知してダイレクトに選局することにより特定の１セグ放送の選局を実現している。
【００１３】
このため、今後の受信端末としては、放送受信のみで選局を可能とする普遍的な選局メカニズムが検討課題とされている。
【００１４】
一方で、既存のインフラであるＵＨＦ帯を利用することで、遵守すべき要件として、既存の地上デジタル放送受信に影響を与えないこと、また地上デジタル放送の方式体系に整合をとり、インターオペラビリティが確保されることが要求される。
【００１５】
また、既存の１セグ受信端末に対するマルチセグメント放送対応が低コストで可能であることが受信端末普及の観点から求められる。さらに、例えば、エリア限定放送などのマルチセグメント放送の性格を考慮すると、送出設備が低コストで実現できることも求められる。
【００１６】
本技術はこのような状況に鑑みて開示するものであり、既存のインフラを活用しつつ、放送受信のみでマルチセグメント放送の選局を可能とする普遍的な選局を実現することができるようにするものである。
【課題を解決するための手段】
【００１７】
本技術の第１の側面は、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、前記連結送信記述子が取得された場合、前記物理チャンネル内の中央セグメント以外のセグメントを順次選局する他セグメント選局部と、前記選局された各セグメントのトランスポートストリームに含まれる選局情報を取得して選局テーブルを作成する選局テーブル作成部とを備える放送波受信装置である。
【００１８】
前記放送波は、地上波デジタル放送の放送波であり、前記記述子判定部は、前記中央セグメントにおいて放送されるトランスポートストリームに含まれるＮＩＴ（Network Information Table）を取得し、前記ＮＩＴに前記連結送信記述子が含まれているか否かを判定することで、前記連結送信記述子が取得されたか否かを判定するようにすることができる。
【００１９】
前記放送波は、地上波デジタル放送の放送波であり、前記記述子判定部は、前記中央セグメントにおいて放送されるトランスポートストリームに含まれるＮＩＴ actualを取得し、前記ＮＩＴ actualに前記連結送信記述子が含まれているか否かを判定することで、前記連結送信記述子が取得されたか否かを判定し、前記他セグメント選局部は、前記中央セグメントにおいて放送されるトランスポートストリームに含まれるＮＩＴ otherを取得し、前記ＮＩＴ otherに記述された情報に基づいて、前記中央セグメント以外のセグメントのセグメント位置を特定して選局するようにすることができる。
【００２０】
前記他セグメント選局部は、前記連結送信記述子の記述に基づいて、前記所定の物理チャンネルの中のセカンダリセグメントのセグメント位置を特定して前記セカンダリセグメントを選局し、前記セカンダリセグメントにおいて放送されるトランスポートストリームに含まれる情報に基づいて、前記中央セグメント以外のセグメントのセグメント位置を特定して選局するようにすることができる。
【００２１】
前記他セグメント選局部は、前記連結送信記述子に記述されたビットマップに基づいて、前記中央セグメント以外のセグメントのセグメント位置を特定して選局するようにすることができる。
【００２２】
本技術の第１の側面は、中央セグメント選局部が、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局し、記述子判定部が、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定し、他セグメント選局部が、前記連結送信記述子が取得された場合、前記物理チャンネル内の中央セグメント以外のセグメントを順次選局し、選局テーブル作成部が、前記選局された各セグメントのトランスポートストリームに含まれる選局情報を取得して選局テーブルを作成するステップを含む放送波受信方法である。
【００２３】
本技術の第１の側面は、コンピュータを、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、前記連結送信記述子が取得された場合、前記物理チャンネル内の中央セグメント以外のセグメントを順次選局する他セグメント選局部と、前記選局された各セグメントのトランスポートストリームに含まれる選局情報を取得して選局テーブルを作成する選局テーブル作成部とを備える放送波受信装置として機能させるプログラムである。
【００２４】
本技術の第１の側面においては、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントが選局され、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かが判定され、前記連結送信記述子が取得された場合、前記物理チャンネル内の中央セグメント以外のセグメントが順次選局され、前記選局された各セグメントのトランスポートストリームに含まれる選局情報を取得して選局テーブルが作成される。
【００２５】
本技術の第２の側面は、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、前記多重化されて得られたトランスポートストリームを、前記中央セグメントの放送波として送信する送信部とを備え、前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる放送波送信装置である。
【００２６】
前記放送波は、地上波デジタル放送の放送波であり、前記関連情報生成部は、前記中央セグメントにおいて放送されるトランスポートストリームに含まれるＮＩＴ（Network Information Table）の一部に記述される、前記所定の物理チャンネル内の複数のセグメントのＯＦＤＭ同期に係る情報が記述された連結送信記述子を、前記マルチセグメント放送が行われることを表す情報として生成するようにすることができる。
【００２７】
前記放送波は、地上波デジタル放送の放送波であり、前記関連情報生成部は、前記中央セグメントにおいて放送されるトランスポートストリームに含まれるＮＩＴ actualの一部に記述される、前記所定の物理チャンネル内の複数のセグメントのＯＦＤＭ同期に係る情報が記述された連結送信記述子を、前記マルチセグメント放送が行われることを表す情報として生成し、前記中央セグメントにおいて放送されるトランスポートストリームに含まれるＮＩＴ otherに記述される情報として、前記所定の物理チャンネル内の中央セグメント以外のセグメントのセグメント位置を特定するための情報を生成するようにすることができる。
【００２８】
前記放送波は、地上波デジタル放送の放送波であり、前記関連情報生成部は、前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、前記連結送信記述子に、前記所定の物理チャンネルの中のセカンダリセグメントのセグメント位置を特定する情報を記述し、前記セカンダリセグメントにおいて放送されるトランスポートストリームに、前記所定の物理チャンネル内の中央セグメント以外のセグメントのセグメント位置を特定するための情報が含まれるようにすることができる。
【００２９】
前記放送波は、地上波デジタル放送の放送波であり、前記関連情報生成部は、前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、前記連結送信記述子に記述されるビットマップを、前記所定の物理チャンネル内の中央セグメント以外のセグメントのセグメント位置を特定するための情報として生成するようにすることができる。
【００３０】
本技術の第２の側面は、関連情報生成部が、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成し、多重化部が、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化し、送信部が、前記多重化されて得られたトランスポートストリームを、前記中央セグメントの放送波として送信しステップを含み、前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる放送波送信方法である。
【００３１】
本技術の第２の側面は、コンピュータを、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、前記多重化されて得られたトランスポートストリームを、前記中央セグメントの放送波として送信する送信部とを備え、前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる放送波送信装置として機能させるプログラムである。
【００３２】
本技術の第２の側面においては、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報が生成され、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとが多重化され、前記多重化されて得られたトランスポートストリームが、前記中央セグメントの放送波として送信され、前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる。
【発明の効果】
【００３３】
本技術によれば、既存のインフラを活用しつつ、放送受信のみでマルチセグメント放送の選局を可能とする普遍的な選局を実現することができる。
【図面の簡単な説明】
【００３４】
【図１】従来の１セグ受信端末である携帯端末による選局テーブル作成処理の例を説明するフローチャートである。
【図２】ＮＩＴとＳＤＴの構成例を示す図である。
【図３】従来のスキャン方式の例を説明する図である。
【図４】地上波デジタル放送波の帯域の割り当てについて説明する図である。
【図５】エリア限定放送を説明する図である。
【図６】１セグ再送信を説明する図である。
【図７】１セグ再送信における１つの空きチャンネルで送信されるマルチセグメント放送の構成例を示す図である。
【図８】集中型のマルチセグメント放送の例を説明する図である。
【図９】分散型のマルチセグメント放送の例を説明する図である。
【図１０】ハイブリッド型のマルチセグメント放送の例を説明する図である。
【図１１】連結情報について説明する図である。
【図１２】マルチセグメント放送における選局情報の取得方式について説明する図である。
【図１３】中央セグメントスキャン方式を説明する図である。
【図１４】中央セグメントスキャン方式を採用する場合のＮＩＴの構成を説明する図である。
【図１５】２セグメントスキャン方式を説明する図である。
【図１６】２セグメントスキャン方式を採用する場合のＮＩＴの構成を説明する図である。
【図１７】連結送信記述子の記述例を示す図である。
【図１８】２セグメントスキャン方式の場合の連結送信記述子の記述の拡張を説明する図である。
【図１９】全セグメントスキャン方式を説明する図である。
【図２０】全セグメントスキャン方式の場合の連結送信記述子の記述の拡張を説明する図である。
【図２１】ビットマップの例を示す図である。
【図２２】本技術を適用したマルチセグメント放送送信装置の一実施の形態に係る構成例を示すブロック図である。
【図２３】マルチセグメント放送送信処理の例を説明するフローチャートである。
【図２４】本技術を適用した受信端末の一実施の形態に係る構成例を示すブロック図である。
【図２５】図２４の受信端末による選局テーブル作成処理の例を説明するフローチャートである。
【図２６】本技術を適用した受信端末と、従来の受信端末による地上波デジタル放送の受信について説明する図である。
【図２７】パーソナルコンピュータの構成例を示すブロック図である。
【発明を実施するための形態】
【００３５】
以下、図面を参照して、ここで開示する技術の実施の形態について説明する。
【００３６】
最初に従来の１セグ受信端末による選局情報（各セグメントの周波数情報など）の取得について説明する。
【００３７】
地上波デジタル放送の物理チャンネルは１３セグメントに分割され、そのうちの１セグメント分の帯域で携帯端末向け放送が行われる。そして、残りの１２セグメント分の帯域で、テレビジョン受像機などの固定端末向けの放送が行われる。
【００３８】
携帯端末向け１セグメント放送対応端末は、例えば、携帯電話を中心に既に広く普及していて、現状では固定端末向けの放送と同じ内容の放送が行われている。携帯端末向け１セグメント放送は、一般に１セグ放送と称され、携帯端末向け１セグメント放送対応端末は、１セグ受信端末などと称される。
【００３９】
図１は、従来の１セグ受信端末である携帯端末により、選局情報が取得され、選局テーブルが作成される処理（選局テーブル作成処理）の例を説明するフローチャートである。
【００４０】
ステップＳ１１において、携帯端末は、所定の物理チャンネル（例えば、最も周波数の低い物理チャンネル）を、処理の対象とする対象物理チャンネルとする。ステップＳ１２において、携帯端末は、対象物理チャンネルの中央セグメントを選局する。ステップＳ１３において、携帯端末は、対象物理チャンネルの中央セグメントのＴＳ（Transport Stream）が受信されたかどうかを判定し、受信されたと判定した場合、処理をステップＳ１４に進める。
【００４１】
ステップＳ１４において、携帯端末は、受信されたＴＳから、ＮＩＴ actualとして記述されている自セグメントのＮＩＴ（Network Information Table）と、ＳＤＴ actualとして記述されている自セグメントのＳＤＴ（Service Description Table）を取得する。そして、処理はステップＳ１５に進む。
【００４２】
一方、ステップＳ１３で中央セグメントのＴＳが受信されていないと判定された場合、ステップＳ１４をスキップして、処理はステップＳ１５に進む。
【００４３】
ステップＳ１５において、携帯端末は、全ての物理チャンネルを対象物理チャンネルとしたかどうかを判定する。ステップＳ１５で全ての物理チャンネルを対象物理チャンネルとしていないと判定された場合、ステップＳ１６において、携帯端末は、次の物理チャンネル（例えば、周波数が次に高い物理チャンネル）を対象物理チャンネルとして、処理をステップＳ１２に戻す。そして、携帯端末は、全ての物理チャンネルを対象物理チャンネルとするまで、ステップＳ１２乃至Ｓ１６の処理を繰り返す。
【００４４】
一方、ステップＳ１５で全ての物理チャンネルを対象物理チャンネルとしたと判定された場合、ステップＳ１７において、携帯端末は、ステップＳ１４で取得されたＮＩＴとＳＤＴに基づいて選局テーブルを作成する。
【００４５】
具体的には、図２に示すように、ＮＩＴには、自セグメントに対応する、ネットワークに固有のＩＤであるネットワークＩＤ、ＴＳに固有のＩＤであるＴＳＩＤ、周波数、放送サービスに固有のサービスＩＤなどが記述されている。また、ＳＤＴには、自セグメントに対応する放送サービスに関する情報として、その放送サービスのＴＳＩＤ、サービスＩＤ、サービス名などが記述されている。
【００４６】
従って、図２に示すように、携帯端末は、各物理チャンネルの中央セグメントのＮＩＴから、サービスＩＤと選局情報としての周波数を取得するとともに、そのＮＩＴに対応するＳＤＴからサービス名を取得して対応付け、選局テーブルとする。
【００４７】
なお、図２の例では、物理チャンネル１（物理ＣＨ−１）の中央セグメントにおいて、２つの放送サービスが時分割で放送されるため、物理チャンネル１の中央セグメントのＮＩＴには、２つのサービスＩＤが記述されている。
【００４８】
選局テーブルが作成されたことにより、携帯端末における選局が可能となる。
【００４９】
このように、従来の携帯端末は、各物理チャンネルの中央セグメントのＴＳをスキャンして、そのＴＳに含まれている自セグメントのＮＩＴから選局情報を取得する。
【００５０】
従って、従来の携帯端末は、例えば、図３に示されるように、所定の物理チャンネルにおいて、その物理チャンネルの中央セグメント１１の選局情報は取得できるが、中央セグメント１１以外のセグメント１２−１乃至１２−６の選局情報は取得できない。
【００５１】
次に、地上波デジタル放送におけるマルチセグメント放送について説明する。図４は、地上波デジタル放送波の帯域の割り当てについて説明する図である。
【００５２】
図４に示されるように、地上波デジタル放送波の全帯域のうち、地上波デジタル放送に使用される物理チャンネルでは、中央の１セグメント分の帯域で１セグ放送が行われ、残りの１２セグメント分の帯域で固定端末向け放送が行われる。また、空きチャンネルでは、例えば、１セグ再放送がマルチセグメント放送として送信される。
【００５３】
なお、物理チャンネルは、放送波において予め割り当てられている所定の周波数帯域を意味し、図４の上側に示されている複数の台形のそれぞれが物理チャンネルとされる。セグメントは、物理チャンネル内で予め割り当てられている所定の周波数帯域を意味し、図４の下側に示されている棒状の図形のそれぞれがセグメントとされ、１つの物理チャンネルには、最大で１３のセグメントを割り当てることができる。各セグメントは、論理チャンネルとも称される。
【００５４】
図５は、マルチセグメント放送のサービスモデルの１つであるエリア限定放送（コミュニティ放送とも称される）を説明する図である。
【００５５】
図５に示されるように、エリア限定放送の場合、図４の空きチャンネルで放送されるセグメントのそれぞれを、所定のサービスエリアに対応させる。
【００５６】
図５の例では、コミュニティ放送局３２−１は、例えば、半径１ｋｍ以内の地区であるサービスエリアＡに対応するセグメントを放送する放送局とされる。サービスエリアが広範となるコミュニティ放送局３２−１は中心局と称される。また、コミュニティ放送局３２−２、および、コミュニティ放送局３２−３が、それぞれ、その地区内の建物やアミューズメントパークなどのサービスエリアＢ、サービスエリアＣに対応する放送局であり、ローカル局と称される。この例では、サービスエリアＡがサービスエリアＢおよびＣを含んでいる。
【００５７】
図５の例では、１つの物理チャンネル（空チャンネル）内に８つの論理チャンネルが設けられている。図中最も左の論理チャンネルは、コミュニティ放送局３２−２によって放送されるセグメントとされている。また、図中右側の２つの論理チャンネルは、コミュニティ放送局３２−３によって放送されるセグメントとされている。そして、図中中央の５つの論理チャンネルは、コミュニティ放送局３２−１によって放送されるセグメントとされている。
【００５８】
図６は、マルチセグメント放送のサービスモデルの１つである１セグ再送信を説明する図である。
【００５９】
図６に示されるように、地上波放送局４１−１乃至地上波放送局４１−３は、地上波デジタル放送波で地上波デジタル放送を行う。なお、以下では、地上波放送局４１−１乃至地上波放送局４１−３を特に区別する必要が無い場合、それらをまとめて地上波放送局４１という。
【００６０】
１セグ再送信局４２は、地上波放送局４１から送信される地上波デジタル放送の１セグ放送を受信する。そして、１セグ再送信局４２は、その１セグ放送をマルチセグメント放送として、地上波デジタル放送波の空きチャンネルを利用して、例えば、受信困難地域に再送する。なお、受信困難地域とは、地上波放送局４１から送信される地上波デジタル放送を受信しにくい地下街などの地域を指す。
【００６１】
受信端末４３は、地上波放送局４１からの１セグ放送と、１セグ再送信局４２からのマルチセグメント放送としての１セグ放送を受信可能な携帯端末である。１セグ再送信局４２から送信されるマルチセグメント放送としての１セグ放送は、１セグ再放送とも称される。
【００６２】
以上のように、１セグ再送信局４２は、例えば、受信困難地域に１セグ放送を再送するので、受信端末４３が受信困難地域にある場合であっても、１セグ放送を確実に受信することができる。
【００６３】
図７は、１セグ再送信における１つの空きチャンネルで送信されるマルチセグメント放送の構成例を示す図である。同図の例では、図中左から２番目の物理チャンネルが空きチャンネルとされており、この物理チャンネルで１セグ再放送が行われる。この例における１セグ再放送は、４つの物理チャンネルの中央セグメントで送信される１セグ放送をまとめて放送するようになされている。
【００６４】
次に、マルチセグメント放送の放送波の送出形態について説明する。マルチセグメント放送の放送波の送出形態は、大別すると、集中型、分散型、およびハイブリッド型に分類される。
【００６５】
図８は、集中型のマルチセグメント放送の例を説明する図である。同図に示されるように、集中型の場合、１つのマルチセグメント送出装置５２が、全ての放送セグメント分の１セグ再放送のＴＳを送信する。
【００６６】
図９は、分散型のマルチセグメント放送の例を説明する図である。同図に示されるように、分散型の場合、放送セグメントごとに異なる１セグ送出装置から１セグ放送のＴＳが送信されている。この例では、３つの１セグ送出装置５１−１乃至１セグ送出装置５１−３が、それぞれ、１つの論理チャンネルに対応する１セグ放送のＴＳを送信している。
【００６７】
図１０は、ハイブリッド型のマルチセグメント放送の例を説明する図である。同図に示されるように、ハイブリッド型は、図８の集中型と図９の分散型のハイブリッドの送出形態である。この例では、マルチセグメント送出装置７１−１が、３つの論理チャンネルに対応する１セグ放送のＴＳを送信し、１セグ送出装置７１−２と１セグ送出装置７１−３が、それぞれ、１つの論理チャンネルに対応する１セグ放送のＴＳを送信している。
【００６８】
送出形態が分散型やハイブリッド型である場合、論理チャンネルの選局順によって選局に要する時間が異なる。具体的には、同一のマルチセグメント送出装置で送出されるセグメントの論理チャンネルが連続して選局される場合、セグメント間でのＯＦＤＭ同期がとれている。このため、同一のマルチセグメント送出装置で送出されるセグメントの論理チャンネルが連続して選局される場合、ＯＦＤＭ同期が省略され、選局に要する時間は短くなる。
【００６９】
しかしながら、異なる１セグ送出装置で送出されるセグメントの論理チャンネルが連続して選局される場合、ＯＦＤＭ同期が行われるため、選局に要する時間は長くなる。
【００７０】
例えば、マルチセグメント送出装置から連結情報が送信されるようにし、受信端末がその連結情報に基づいて選局順を制御することで、選局に要する時間を短縮することが可能となる。例えば、図１１に示されるように、連結情報によって、６番目と８番目のセグメントが同一のマルチセグメント送出装置で送出されるセグメントであることを示している場合、受信端末は、選局対象を６番目のセグメントから８番目のセグメントに切り替える場合に、ＯＦＤＭ同期処理を行わずに行うことができる。これにより、例えば、８番目のセグメントの選局を、異なる１セグ送出装置で送出されるセグメント（例えば、４番目のセグメント）の後に行う場合に比べて、より短時間で選局を行うことが可能になる。
【００７１】
図１２は、マルチセグメント放送における選局情報の取得方式について説明する図である。図１２に示されるように、マルチセグメント放送における選局情報の取得方式としては、主に、３つの方式が考えられる。
【００７２】
第１の方式は、放送波のスキャンにより選局情報を取得する方式である。第１の方式では、受信端末は、地上波デジタル放送波をスキャンするだけで、受信可能なマルチセグメント放送の選局情報を取得することができる。従って、受信端末を所持するユーザは、自分の位置で受信可能なマルチセグメント放送があるかどうかを意識する必要なく、受信可能なマルチセグメント放送の選局情報を自動的に取得することができる。
【００７３】
第２の方式は、選局情報を受信端末に埋め込む方式である。第２の方式では、受信端末が予め選局情報を記憶しておく必要があるが、例えば、地域ごとに異なるコミュニティ放送や１セグ再送信の選局情報を全て記憶しておくことは困難である。従って、第２の方式は、コミュニティ放送や１セグ再送信には適していない。
【００７４】
第３の方式は、放送波以外の手段(例えば、インターネットを介した通信等)により選局情報を取得する方式である。第３の方式では、受信端末を所持するユーザが、自分の位置で受信可能なマルチセグメント放送があるかどうかを把握し、そのマルチセグメント放送の選局情報の取得を指示する必要がある。しかしながら、例えば、地域ごとに異なるコミュニティ放送や１セグ再送信を、その地域とともに全て把握しておくことは困難である。従って、第３の方式は、コミュニティ放送や１セグ再送信には適していない。
【００７５】
すなわち、マルチセグメント放送における選局情報の取得方式として、第１の方式が採用されることが望ましい。
【００７６】
上述したように、従来の受信端末は、各物理チャンネルの中央セグメントのＴＳ（Transport Stream）をスキャンして、そのＴＳに含まれている自セグメントのＮＩＴ（Network Information Table）から選局情報を取得するようになされている。
【００７７】
従って、空きチャンネルでマルチセグメント放送が行われる場合、その空きチャンネルの中央セグメントの選局情報は取得できるが、中央セグメント以外のセグメントの選局情報は取得できない。このため、従来の受信端末では、マルチセグメント放送の選局を自在に行うことができなかった。
【００７８】
１つの物理チャンネルにおいて複数の１セグ放送の信号を重畳した電波を送出し、受信する実験は既に行われている。この場合、各セグメントの周波数情報を、放送以外の手段で受信端末に通知してダイレクトに選局することにより特定の論理チャンネルの選局を実現している。
【００７９】
このため、今後の受信端末としては、放送受信のみで選局を可能とする普遍的な選局メカニズムが検討課題とされている。
【００８０】
そこで、本技術では、まず、マルチセグメント放送の選局情報を取得する方式として第１の方式を採用する。具体的には、地上波放送局、コミュニティ放送局、および１セグ再送信局が、地上波デジタル放送波で選局情報を送信し、受信端末が、その選局情報をスキャンにより取得して保持する。そして、受信端末は、保持している選局情報に基づいて、所定の論理チャンネルを選局して再生することになる。
【００８１】
ここで、第１の方式であって、スキャンにより選局情報を取得する方式は、さらに３種類のスキャン方式に分類される。ここで、３種類のスキャン方式をそれぞれ、中央セグメントスキャン方式、２セグメントスキャン方式、および全セグメントスキャン方式と称することにする。
【００８２】
上述した３種類のスキャン方式では、マルチセグメント放送が行われる物理チャンネルの中央セグメントのＮＩＴに、連結送信記述子を記述することで、マルチセグメント放送が行われていることを受信端末に通知する。連結送信記述子は、上述したように、複数のセグメントが同一のマルチセグメント送出装置から送出されていることを表す連結情報を記述するものとされる。なお、連結送信記述子の詳細については、ＡＲＩＢ（Association of Radio Industries and Broadcast）で規定されている。
【００８３】
図１３は、上述した３種類のスキャン方式の中の中央セグメントスキャン方式を説明する図である。同図の例では、図中に５つの物理チャンネルが存在しており、図中最も左の物理チャンネルと右から２番目の物理チャンネルでは、地上波デジタル放送の信号が送信され、図中中央の物理チャンネルでは、マルチセグメント放送の信号が送信される。また、同図の左から２番目の物理チャンネルと最も右の物理チャンネルでは放送用の信号が送信されていない。
【００８４】
図１３の矢印に示されるように、中央セグメントスキャン方式では、例えば、受信端末が地上波デジタル放送波の各物理チャンネルの中央セグメントを、周波数の低い方から順にスキャンする。
【００８５】
これにより、地上波デジタル放送の物理チャンネルの中央セグメント９１のＴＳ、および、中央セグメント９３のＴＳが取得され、そのＴＳから中央セグメント９１、および、中央セグメント９３で放送される１セグ放送のＮＩＴとＳＤＴが取得される。また、マルチセグメント放送の物理チャンネルの中央セグメント９２−１のＴＳが取得され、そのＴＳから中央セグメント９２−１で放送されるマルチセグメント放送のＮＩＴとＳＤＴが取得される。
【００８６】
なお、同図の例では、マルチセグメント放送の物理チャンネルの１３のセグメントの中で、セグメント９２−１乃至セグメント９２−５に対応する５のセグメントが運用されている。ここで、運用されているセグメントは、論理チャンネルとして意味のある情報に対応する信号が放送されるセグメントとされ、セグメント９２−１乃至セグメント９２−５以外のセグメントは、運用されていないものとされる。
【００８７】
図１４は、本技術において、中央セグメントスキャン方式を採用する場合のＮＩＴの構成を説明する図である。ＮＩＴには、ＮＩＴ actualと称される自セグメントに係る情報が記述されたＮＩＴと、ＮＩＴ otherと称される自セグメント以外のセグメントに係る情報が記述されたＮＩＴが存在する。なお、ＮＩＴ actualとＮＩＴ otherの詳細については、ＡＲＩＢで規定されている。
【００８８】
同図に示されるＮＩＴ１１１は、中央セグメントであるセグメントＳ７から取得されるＮＩＴとされる。ＮＩＴ１１１は、ＮＩＴ actualとされ、セグメントＳ７に係る情報が記述されたＮＩＴである。ＮＩＴ１１１には、ネットワークＩＤが付与されており、ネットワーク名記述子、システム管理記述子・・・が記述されている。
【００８９】
また、ＮＩＴ１１１には、ＴＳ記述エリア１１２が設けられている。ＴＳ記述エリア１１２は、当該セグメント（中央セグメントであるセグメントＳ７）のＴＳに係る情報が記述される。ＴＳ記述エリア１１２には、当該ＴＳに固有のＩＤであるＴＳＩＤ、サービスリスト記述子、地上システム分配記述子、部分受信記述子、ＴＳ情報記述子、連結送信記述子・・・が記述されている。
【００９０】
上述したように、本技術では、中央セグメントのＮＩＴ actualに連結送信記述子を記述することにより、当該中央セグメントを有する物理チャンネルがマルチセグメント放送の物理チャンネルであることを識別できるようにする。
【００９１】
また、図１４に示されるＮＩＴ１２１は、ＮＩＴ otherとされ、中央セグメントであるセグメントＳ７以外のセグメント（セグメントＳ１乃至セグメントＳ６、および、セグメントＳ８乃至セグメントＳ１３）に係る情報が記述されたＮＩＴである。
【００９２】
ＮＩＴ１２１には、ネットワーク名記述子、システム管理記述子が記述され、ＴＳ記述エリア１２２−１乃至ＴＳ記述エリア１２２−１２が設けられている。ＴＳ記述エリア１２２−１乃至ＴＳ記述エリア１２２−１２には、セグメントＳ１乃至セグメントＳ６、および、セグメントＳ８乃至セグメントＳ１３のＴＳに係る情報が記述される。
【００９３】
なお、本技術では、ＮＩＴ otherのネットワークＩＤをＮＩＴ actualのネットワークＩＤと同一にしてもよい。
【００９４】
さらに、同図に示されるＮＩＴ１３１は、ＮＩＴ actualとされ、セグメントＳ１乃至セグメントＳ６、および、セグメントＳ８乃至セグメントＳ１３のＴＳのそれぞれから取得されるＮＩＴとされる。すなわち、１２個のセグメントのＴＳのそれぞれから取得されるＮＩＴをまとめてＮＩＴ１３１として表している。
【００９５】
ＮＩＴ１３１には、ネットワーク名記述子、システム管理記述子が記述され、ＴＳ記述エリア１３２−１乃至ＴＳ記述エリア１３２−１３が設けられている。ＴＳ記述エリア１３２−１乃至ＴＳ記述エリア１３２−１３には、セグメントＳ１乃至セグメントＳ１３のＴＳに係る情報が記述される。すなわち、マルチセグメント放送の物理チャンネルの中央セグメント以外のセグメントのＴＳから取得されるＮＩＴ actualには、当該物理チャンネルの全セグメントに対応するＴＳ記述エリアが設けられるようになされている。
【００９６】
中央セグメントスキャン方式を採用する場合、受信端末は、中央セグメントのＮＩＴ actual（ＮＩＴ１１１）の連結送信記述子の有無により、当該物理チャンネルがマルチセグメント放送の物理チャンネルであるか否かを識別する。そして、当該物理チャンネルがマルチセグメント放送の物理チャンネルである場合、受信端末は、ＮＩＴ otherのＴＳ記述エリア１２２−１乃至ＴＳ記述エリア１２２−１２の記述に基づいて中央セグメント以外のセグメントを選局することが可能となる。これにより、マルチセグメント放送の物理チャンネルの中で運用されている全セグメントのＮＩＴとＳＤＴが取得され、選局テーブルが作成される。
【００９７】
このようにして、中央セグメントスキャン方式でのスキャンが行われて選局情報が取得される。
【００９８】
図１５は、上述した３種類のスキャン方式の中の２セグメントスキャン方式を説明する図である。同図の例では、図中に５つの物理チャンネルが存在しており、図中最も左の物理チャンネルと右から２番目の物理チャンネルでは、地上波デジタル放送の信号が送信され、図中中央の物理チャンネルでは、マルチセグメント放送の信号が送信される。また、同図の左から２番目の物理チャンネルと最も右の物理チャンネルでは放送用の信号が送信されていない。
【００９９】
図１５の矢印に示されるように、２セグメントスキャン方式では、例えば、受信端末が地上波デジタル放送波の各物理チャンネルの中央セグメントを、周波数の低い方から順にスキャンする。
【０１００】
ただし、図１５の例の場合、図中中央の物理チャンネルの中央セグメント９２−１がスキャンされた後、同一の物理チャンネル内のセグメント９２−４がスキャンされている。セグメント９２−４は、中央セグメント９２−１のＴＳに含まれるＮＩＴの記述に基づいて指定されるセグメントとされ、ここでは、セカンダリセグメントと称することにする。
【０１０１】
セカンダリセグメント９２−４がスキャンされた後、中央セグメント９３がスキャンされる。
【０１０２】
これにより、地上波デジタル放送の物理チャンネルの中央セグメント９１のＴＳ、および、中央セグメント９３のＴＳが取得され、そのＴＳから中央セグメント９１、および、中央セグメント９３で放送される１セグ放送のＮＩＴとＳＤＴが取得される。また、マルチセグメント放送の物理チャンネルの中央セグメント９２−１のＴＳが取得され、そのＴＳから中央セグメント９２−１で放送されるマルチセグメント放送のＮＩＴとＳＤＴが取得される。さらに、セカンダリセグメント９２−４のＴＳが取得され、そのＴＳから中央セグメント９２−１以外のセグメントで放送されるマルチセグメント放送のＮＩＴとＳＤＴが取得される。
【０１０３】
なお、同図の例では、マルチセグメント放送の物理チャンネルの１３のセグメントの中で、セグメント９２−１乃至セグメント９２−５に対応する５のセグメントが運用されている。
【０１０４】
図１６は、本技術において、２セグメントスキャン方式を採用する場合のＮＩＴの構成を説明する図である。
【０１０５】
同図に示されるＮＩＴ１１１は、中央セグメントであるセグメントＳ７から取得されるＮＩＴとされる。ＮＩＴ１１１は、ＮＩＴ actualとされ、セグメントＳ７に係る情報が記述されたＮＩＴである。ＮＩＴ１１１には、ネットワークＩＤが付与されており、ネットワーク名記述子、システム管理記述子・・・が記述されている。
【０１０６】
また、ＮＩＴ１１１には、ＴＳ記述エリア１１２が設けられている。ＴＳ記述エリア１１２は、当該セグメント（中央セグメントであるセグメントＳ７）のＴＳに係る情報が記述される。ＴＳ記述エリア１１２には、当該ＴＳに固有のＩＤであるＴＳＩＤ、サービスリスト記述子、地上システム分配記述子、部分受信記述子、ＴＳ情報記述子、連結送信記述子・・・が記述されている。
【０１０７】
上述したように、本技術では、中央セグメントのＮＩＴ actualに連結送信記述子を記述することにより、当該中央セグメントを有する物理チャンネルがマルチセグメント放送の物理チャンネルであることを識別できるようにする。
【０１０８】
さらに、同図に示されるＮＩＴ１３１は、ＮＩＴ actualとされ、セグメントＳ１乃至セグメントＳ６、および、セグメントＳ８乃至セグメントＳ１３のＴＳのそれぞれから取得されるＮＩＴとされる。すなわち、１２個のセグメントのＴＳのそれぞれから取得されるＮＩＴをまとめてＮＩＴ１３１として表している。
【０１０９】
ＮＩＴ１３１には、ネットワーク名記述子、システム管理記述子が記述され、ＴＳ記述エリア１３２−１乃至ＴＳ記述エリア１３２−１３が設けられている。ＴＳ記述エリア１３２−１乃至ＴＳ記述エリア１３２−１３には、セグメントＳ１乃至セグメントＳ１３のＴＳに係る情報が記述される。すなわち、マルチセグメント放送の物理チャンネルの中央セグメント以外のセグメントのＴＳから取得されるＮＩＴ actualには、当該物理チャンネルの全セグメントに対応するＴＳ記述エリアが設けられるようになされている。
【０１１０】
なお、図１６（２セグメントスキャン方式）の場合のＮＩＴ１１１とＮＩＴ１３１の構成は、図１４（中央セグメントスキャン方式）の場合と同様である。ただし、図１６（２セグメントスキャン方式）の場合、ＮＩＴ１１１の中のＴＳ記述エリア１１２の連結送信記述子の記述が次のように拡張される。
【０１１１】
図１７と図１８は、２セグメントスキャン方式の場合の連結送信記述子の記述の拡張を説明する図である。
【０１１２】
図１７は、ＡＲＩＢで規定された連結送信記述子の記述を示している。すなわち、８ビットの「descriptor_tag」、８ビットの「descriptor_length」、・・・２ビットの「modulation_type_C」の記述が規定されている。また、記述エリア２０２には、伝送付加情報（「additional_connected_transmission_info」）を必要に応じて記述できるように規定されている。
【０１１３】
本技術では、２セグメントスキャン方式を採用する場合、記述エリア２０２を図１８に示されるように記述する。
【０１１４】
すなわち、図１８に示されるように、記述エリア２０２にセカンダリセグメント情報フラグ（「secondary_segment_info_flag」）が設けられる。例えば、当該記述エリアを有する連結送信記述子が、マルチセグメント放送の物理チャンネルの中央セグメントであるセグメントＳ７のＴＳから取得されるものである場合、セカンダリセグメント情報フラグがオンになるようになされている。
【０１１５】
そして、セカンダリセグメント情報フラグがオン（「(secondary_segment_info_flag==1)」）である場合、セカンダリセグメントの周波数（「secondary_segment_frequency」）が続けて記述されるようになされている。セカンダリセグメントとしては、例えば、当該物理チャンネルの中で常に運用されていると想定されるセグメントが選択される。図１５の例では、セグメント９２−４がセカンダリセグメントとして選択されている。
【０１１６】
２セグメントスキャン方式を採用する場合、受信端末は、中央セグメントのＮＩＴ actual（ＮＩＴ１１１）の連結送信記述子の有無により、当該物理チャンネルがマルチセグメント放送の物理チャンネルであるか否かを識別する。そして、当該物理チャンネルがマルチセグメント放送の物理チャンネルである場合、受信端末は、連結送信記述子内の記述エリア２０２の記述内容に基づいてセカンダリセグメントを特定してスキャンする。受信端末は、セカンダリセグメントのＮＩＴ１３１のＴＳ記述エリア１３２−１乃至ＴＳ記述エリア１３２−１３の記述に基づいて中央セグメントとセカンダリセグメント以外のセグメントを選局することが可能となる。これにより、マルチセグメント放送の物理チャンネルの中で運用されている全セグメントのＮＩＴとＳＤＴが取得され、選局テーブルが作成される。
【０１１７】
このようにして、２セグメントスキャン方式でのスキャンが行われて選局情報が取得される。
【０１１８】
図１９は、上述した３種類のスキャン方式の中の全セグメントスキャン方式を説明する図である。同図の例では、図中に５つの物理チャンネルが存在しており、図中最も左の物理チャンネルと右から２番目の物理チャンネルでは、地上波デジタル放送の信号が送信され、図中中央の物理チャンネルでは、マルチセグメント放送の信号が送信される。また、同図の左から２番目の物理チャンネルと最も右の物理チャンネルでは放送用の信号が送信されていない。
【０１１９】
図１９の矢印に示されるように、全セグメントスキャン方式では、例えば、受信端末が地上波デジタル放送波の各物理チャンネルの中央セグメントを、周波数の低い方から順にスキャンする。
【０１２０】
ただし、図１９の例の場合、図中中央の物理チャンネルの中央セグメント９２−１がスキャンされた後、同一の物理チャンネル内のセグメント９２−２がスキャンされている。その後、同一の物理チャンネル内のセグメントが図中左から順番にセグメント９２−３からセグメント９２−５までスキャンされている。
【０１２１】
セグメント９２−５がスキャンされた後、中央セグメント９３がスキャンされる。
【０１２２】
これにより、地上波デジタル放送の物理チャンネルの中央セグメント９１のＴＳ、および、中央セグメント９３のＴＳが取得され、そのＴＳから中央セグメント９１、および、中央セグメント９３で放送される１セグ放送のＮＩＴとＳＤＴが取得される。また、マルチセグメント放送の物理チャンネルの中央セグメント９２−１のＴＳが取得され、そのＴＳから中央セグメント９２−１で放送されるマルチセグメント放送のＮＩＴとＳＤＴが取得される。さらに、マルチセグメント放送の物理チャンネルのセグメント９２−２、セグメント９２−３、セグメント９２−４、およびセグメント９２−５それぞれのＴＳが取得され、それらのＴＳからそれぞれマルチセグメント放送のＮＩＴとＳＤＴが取得される。
【０１２３】
全セグメントスキャン方式を採用する場合、ＮＩＴの構成は、例えば、図１６を参照して上述した場合と同様とすればよい。ただし、図１９（全セグメントスキャン方式）の場合、ＮＩＴ１１１の中のＴＳ記述エリア１１２の連結送信記述子の記述が次のように拡張される。
【０１２４】
図２０と図２１は、全セグメントスキャン方式の場合の連結送信記述子の記述の拡張を説明する図である。
【０１２５】
本技術では、全セグメントスキャン方式を採用する場合、図１７に示される連結送信記述子の記述エリア２０２を図２０に示されるように記述する。
【０１２６】
すなわち、図２０に示されるように、記述エリア２０２にマルチセグメント放送の各セグメントを特定するためのビットマップが記述される。ここで、ビットマップは、例えば、３ビットのセレクタ（「selector」）と、１３ビットのマルチセグメント情報（「multi_segment_bitmap」）とを含んで構成される。
【０１２７】
例えば、図２１Ａ乃至図２１Ｃに示されるように３種類のビットマップが設けられる。
【０１２８】
図２１Ａは、運用セグメントレイアウト用ビットマップとされる。運用セグメントレイアウト用ビットマップは、当該物理チャンネル内の運用されているセグメントのセグメント位置を特定するためのビットマップとされる。
【０１２９】
運用セグメントレイアウト用ビットマップのセレクタ（先頭の３ビット）は「０００」とされ、その後の１３ビットのそれぞれが当該物理チャンネル内のセグメント位置に対応している。例えば、セレクタの後の１３ビットの中で、「１」が格納されたビット位置が当該物理チャンネル内の運用されているセグメントのセグメント位置を表すものとされる。これにより、受信端末において、当該物理チャンネル内の運用されているセグメントの周波数を特定することが可能となり、各セグメントをスキャンすることが可能となる。
【０１３０】
図２１Ｂは、自セグメント位置用ビットマップとされる。自セグメント位置用ビットマップは、当該物理チャンネル内での自セグメントの位置を特定するためのビットマップとされる。
【０１３１】
自セグメント位置用ビットマップのセレクタ（先頭の３ビット）は「００１」とされ、その後の１３ビットのそれぞれが当該物理チャンネル内のセグメント位置に対応している。例えば、セレクタの後の１３ビットの中で、「１」が格納されたビット位置が当該物理チャンネル内での自セグメントのセグメント位置を表すものとされ、通常、中央セグメントに対応する位置のビットに「１」が格納される。
【０１３２】
図２１Ｃは、１セグ再送信セグメント位置用ビットマップとされる。１セグ再送信セグメント位置用ビットマップは、当該物理チャンネル内で１セグ再送信に割り当てられたセグメントの位置を特定するためのビットマップとされる。
【０１３３】
１セグ再送信セグメント位置用ビットマップのセレクタ（先頭の３ビット）は「０１０」とされ、その後の１３ビットのそれぞれが当該物理チャンネル内のセグメント位置に対応している。例えば、セレクタの後の１３ビットの中で、「１」が格納されたビット位置が当該物理チャンネル内で１セグ再送信に割り当てられたセグメントのセグメント位置を表すものとされる。これにより、受信端末において、当該物理チャンネル内で１セグ再送信に割り当てられたセグメント周波数を特定することが可能となる。このようにすることで、例えば、受信端末において、１セグ再送信のＴＳに含まれるＮＩＴの周波数に係る記述などは取捨選択して利用することが可能となる。
【０１３４】
全セグメントスキャン方式を採用する場合、受信端末は、中央セグメントのＮＩＴ actual（ＮＩＴ１１１）の連結送信記述子の有無により、当該物理チャンネルがマルチセグメント放送の物理チャンネルであるか否かを識別する。そして、当該物理チャンネルがマルチセグメント放送の物理チャンネルである場合、受信端末は、連結送信記述子内の記述エリア２０２の記述内容に基づいてビットマップを取得し、各セグメントのセグメント位置を特定して選局する。これにより、マルチセグメント放送の物理チャンネルの中で運用されている全セグメントのＮＩＴとＳＤＴが取得され、選局テーブルが作成される。
【０１３５】
このようにして、全セグメントスキャン方式でのスキャンが行われて選局情報が取得される。
【０１３６】
図２２は、本技術を適用したマルチセグメント放送送信装置の一実施の形態に係る構成例を示すブロック図である。同図に示されるマルチセグメント放送送信装置２５０は、例えば、図５に示されるコミュニティ放送局３２、図６に示される１セグ再送信局４２に配置され、図８乃至図１０に示されるマルチセグメント送出装置、または、１セグ送出装置として用いられる。
【０１３７】
同図の例では、マルチセグメント放送送信装置２５０が、関連情報生成部２５１、ビデオデータ取得部２５２、ビデオエンコーダ２５３、オーディオデータ取得部２５４、オーディオエンコーダ２５５、マルチプレクサ２５６、送信部２５７、およびアンテナ２５８により構成される。
【０１３８】
関連情報生成部２５１は、例えば、コミュニティ放送のＮＩＴ、ＳＤＴ等を含むＰＳＩ(Program Specific Information)、または、１セグ再送信のＮＩＴ、ＳＤＴ等を含むＰＳＩ、ブラウザを用いた表示を行うための情報（以下、表示制御情報という）等を関連情報として生成し、マルチプレクサ２５６に供給する。
【０１３９】
関連情報生成部２５１は、例えば、図１４、および図１６を参照して上述したようにＮＩＴを生成する。また、この際、関連情報生成部２５１は、所定のＮＩＴに含まれる連結送信記述子を、図１７、図１８、図２０、および図２１を参照して上述したように記述する。
【０１４０】
ビデオデータ取得部２５２は、例えば、図示せぬＨＤＤ（Hard Disk Drive）や、外部のサーバなどからビデオデータを取得し、ビデオエンコーダ２５３に供給する。
【０１４１】
ビデオエンコーダ２５３は、ビデオデータ取得部２５２から供給されるビデオデータを、例えば、ＭＰＥＧ２（Moving Picture Experts Group phase 2）等の符号化方式で符号化し、マルチプレクサ２５６に供給する。
【０１４２】
オーディオデータ取得部２５４は、例えば、図示せぬＨＤＤや、外部のサーバなどから、
オーディオデータを取得し、オーディオエンコーダ２５５に供給する。
【０１４３】
オーディオエンコーダ２５５は、オーディオデータ取得部２５４から供給されるオーディオデータを、ＭＰＥＧ２等の符号化方式で符号化し、マルチプレクサ２５６に供給する。
【０１４４】
なお、１セグ再送信が行われる場合、ビデオデータ取得部２５２、および、オーディオデータ取得部２５４に代わって、図示せぬ放送波受信部が所定の物理チャンネルで放送される地上波デジタル放送の放送信号を取得する。そして、その放送信号に対応するデータがそのままマルチプレクサ２５６に供給される。
【０１４５】
マルチプレクサ２５６は、関連情報生成部２５１からの関連情報、ビデオエンコーダ２５３からのビデオデータ、およびオーディオエンコーダ２５５からのオーディオデータを多重化してＴＳを生成し、送信部２５７に供給する。この際、例えば、図１４、および図１６を参照して上述したように生成された所定のＮＩＴが、それぞれ適切なセグメントのＴＳに含まれるように多重化される。
【０１４６】
送信部５７は、マルチプレクサ５６から供給されるＴＳを、当該ＴＳのセグメントに対応する周波数でアンテナ２５８を介して送信する。
【０１４７】
次に、図２３のフローチャートを参照して、図９のマルチセグメント放送送信装置２５０によるマルチセグメント放送送信処理の例について説明する。
【０１４８】
ステップＳ５１において、関連情報生成部２５１は、コミュニティ放送のＮＩＴ、ＳＤＴ等を含むＰＳＩ、または、１セグ再送信のＮＩＴ、ＳＤＴ等を含むＰＳＩ、表示制御情報等を関連情報として生成し、マルチプレクサ２５６に供給する。
【０１４９】
このとき、関連情報生成部２５１は、例えば、図１４、および図１６を参照して上述したようにＮＩＴを生成し、所定のＮＩＴに含まれる連結送信記述子が、図１７、図１８、図２０、および図２１を参照して上述したように記述される。
【０１５０】
ステップＳ５２において、ビデオデータ取得部２５２は、ビデオデータを取得し、オーディオデータ取得部２５４は、オーディオデータを取得する。
【０１５１】
ステップＳ５３において、ビデオエンコーダ２５３とオーディオエンコーダ２５５は、ステップＳ５２で取得されたビデオデータとオーディオデータを、例えば、ＭＰＥＧ２等の符号化方式で符号化する。
【０１５２】
なお、１セグ再送信が行われる場合、ビデオデータ取得部２５２、および、オーディオデータ取得部２５４に代わって、図示せぬ放送波受信部が所定の物理チャンネルで放送される地上波デジタル放送の放送信号を取得する。そして、その放送信号に対応するデータがそのままマルチプレクサ２５６に供給される。
【０１５３】
ステップＳ５４において、マルチプレクサ２５６は、ステップＳ５１で生成された関連情報、ステップＳ５３の処理による符号化されたデータを多重化してＴＳを生成する。
【０１５４】
このとき、例えば、図１４、および図１６を参照して上述したように生成された所定のＮＩＴが、それぞれ適切なセグメントのＴＳに含まれるように多重化される。
【０１５５】
ステップＳ５５において、送信部５７は、ステップＳ５４の処理の結果得られたＴＳを、当該ＴＳのセグメントに対応する周波数でアンテナ２５８を介して送信する。
【０１５６】
このようにして、マルチセグメント放送送信処理が実行される。
【０１５７】
図２４は、本技術を適用した受信端末の構成例を示すブロック図である。同図に示される受信端末２７０は、例えば、図８乃至図１０に示される受信端末として用いられる。
【０１５８】
図２４において、受信端末２７０は、アンテナ２７１、チューナ２７２、デマルチプレクサ２７３、ビデオデコーダ２７４、選択部２７５、表示部２７６、オーディオデコーダ２７７、スピーカ２７８、ブラウザ２７９、および制御部２８０により構成される。
【０１５９】
チューナ２７２は、制御部２８０から供給される選局情報に基づいて選局を行い、所定の論理チャンネルで放送されたＴＳを、アンテナ２７１を介して受信する。チューナ２７２は、受信されたＴＳをデマルチプレクサ２７３に供給する。
【０１６０】
デマルチプレクサ２７３は、チューナ２７２から供給されるＴＳを、ビデオデータ、オーディオデータ、表示制御情報、ＰＳＩ(Program Specific Information)の各情報等に分離する。デマルチプレクサ２７３は、ビデオデータをビデオデコーダ２７４に供給し、オーディオデータをオーディオデコーダ２７７に供給する。また、デマルチプレクサ２７３は、表示制御情報をブラウザ２７９に供給し、ＰＳＩの各情報等を制御部２８０に供給する。
【０１６１】
ビデオデコーダ２７４は、制御部２８０の制御にしたがって、デマルチプレクサ２７３から供給されるビデオデータを、当該ビデオデータの符号化方式に対応する方式で復号（デコード）し、選択部２７５に供給する。
【０１６２】
選択部２７５は、制御部２８０の制御にしたがって、ビデオデコーダ２７４から供給されるビデオデータまたはブラウザ２７９から供給されるビデオデータを選択し、表示部２７６に供給する。表示部２７６は、選択部２７５から供給されるビデオデータに基づいて、画像を表示する。
【０１６３】
オーディオデコーダ２７７は、制御部２８０の制御にしたがって、デマルチプレクサ２７３から供給されるオーディオデータを、当該オーディオデータの符号化方式に対応する方式で復号（デコード）し、スピーカ２７８に供給する。スピーカ２７８は、オーディオデコーダ２７７からのオーディオデータに対応する音声を出力する。
【０１６４】
ブラウザ２７９は、例えば、デマルチプレクサ２７３から供給される表示制御情報を解釈して、ビデオデータを生成し、選択部２７５に供給する。
【０１６５】
制御部２８０は、地上波デジタル放送波の各物理チャンネルの中央セグメントの選局情報を順にチューナ２７２に供給する。また、制御部２８０は、各物理チャンネルの中央セグメントのＴＳから図１４、および図１６を参照して上述したようにＮＩＴを抽出し、連結送信記述子の有無を判定することにより、当該物理チャンネルがマルチセグメント放送の物理チャンネルであるか否かを判定する。
【０１６６】
当該物理チャンネルがマルチセグメント放送の物理チャンネルであると判定された場合、制御部２８０は、図１３乃至図２１を参照して上述したスキャン方式により選局情報を取得する。すなわち、中央セグメントスキャン方式、２セグメントスキャン方式、および全セグメントスキャン方式のいずれかのスキャン方式により、選局情報が取得され、選局テーブルが生成される。そして、制御部２８０は、例えば、生成された選局テーブルを内蔵するメモリ(図示せず)などに記憶する。
【０１６７】
また、制御部２８０は、ユーザからの指令に応じて、例えば、選局テーブルに登録されているサービス名をブラウザ２７９に供給し、そのサービス名を表示部２７６に表示させる。ユーザは、表示部２７６に表示されたサービス名を見て、視聴対象とする放送サービスのサービス名を選択指示する。制御部２８０は、この選択指示に基づいて、選局テーブルから視聴対象のサービス名に対応する選局情報を読み出し、その選局情報をチューナ２７２に供給する。
【０１６８】
さらに、制御部２８０は、例えば、デマルチプレクサ２７３から供給されるＰＳＩの各情報に基づいて、ビデオデコーダ２７４、選択部２７５、オーディオデコーダ２７７、およびブラウザ２７９を制御する。具体的には、制御部２８０は、例えば、ビデオデコーダ２７４から出力されるビデオデータとオーディオデコーダ２７７から出力されるオーディオデータの同期をとるように、ビデオデコーダ２７４とオーディオデコーダ２７７を制御する。
【０１６９】
次に、図２５のフローチャートを参照して、図２４の受信端末２７０による選局テーブル作成処理の例について説明する。この処理は、例えば、ユーザにより選局テーブルの作成が指令されたとき、実行される。
【０１７０】
ステップＳ７１において、制御部２８０は、所定の物理チャンネル（例えば、最も周波数の低い物理チャンネル）を、処理の対象とする対象物理チャンネルとする。そして、制御部２８０は、対象物理チャンネルの中央セグメントの周波数を選局情報としてチューナ２７２に供給する。
【０１７１】
ステップＳ７２において、チューナ２７２は、制御部２８０からの選局情報に基づいて、対象物理チャンネルの中央セグメントを選局する。
【０１７２】
ステップＳ７３において、チューナ２７２は、対象物理チャンネルの中央セグメントのＴＳが受信されたかどうかを判定し、受信されたと判定した場合、処理をステップＳ７４に進める。
【０１７３】
ステップＳ７４において、デマルチプレクサ２７３は、チューナ２７２により受信された対象物理チャンネルの中央セグメントのＴＳから、ＮＩＴとＳＤＴを取得する。そして、デマルチプレクサ２７３は、そのＮＩＴとＳＤＴを制御部２８０に供給する。
【０１７４】
ステップＳ７５において、制御部２８０は、受信された中央セグメントのＴＳに含まれるＮＩＴに基づいて、当該物理チャンネル（対象物理チャンネル）がマルチセグメント放送の物理チャンネンルであるか否かを判定する。このとき、上述したように、連結送信記述子の有無を判定することにより、当該物理チャンネルがマルチセグメント放送の物理チャンネルであるか否かが判定される。
【０１７５】
ステップＳ７５で、当該物理チャンネルがマルチセグメント放送の物理チャンネンルであると判定された場合、処理はステップＳ７６に進む。
【０１７６】
ステップＳ７６において、制御部２８０は、当該物理チャンネルの中央セグメント以外のセグメントの周波数を特定する。
【０１７７】
このとき、例えば、中央セグメントスキャン方式が採用される場合、制御部２８０は、図１４のＮＩＴ otherのＴＳ記述エリア１２２−１乃至ＴＳ記述エリア１２２−１２の記述に基づいて中央セグメント以外のセグメントの周波数を特定する。
【０１７８】
また、例えば、２セグメントスキャン方式を採用する場合、制御部２８０は、図１６のＮＩＴ actualの連結送信記述子内の記述エリア２０２の記述内容（図１７、図１８）に基づいてセカンダリセグメントを特定してスキャンする。さらに、制御部２８０は、セカンダリセグメントのＮＩＴ１３１のＴＳ記述エリア１３２−１乃至ＴＳ記述エリア１３２−１３の記述（図１６）に基づいて中央セグメント以外のセグメントの周波数を特定する。
【０１７９】
さらに、例えば、全セグメントスキャン方式を採用する場合、制御部２８０は、連結送信記述子内の記述エリア２０２の記述内容（図２０）に基づいてビットマップ（図２１）を取得し、各セグメントのセグメント位置を特定して中央セグメント以外のセグメントの周波数を特定する。
【０１８０】
ステップＳ７７において、チューナ２７２は、制御部２８０からの選局情報に基づいて、対象物理チャンネルの中央セグメント以外のセグメントをスキャンする。
【０１８１】
ステップＳ７８において、デマルチプレクサ２７３は、チューナ２７２により受信された対象物理チャンネルの中央セグメント以外のセグメントのＴＳからＮＩＴとＳＤＴを取得する。
【０１８２】
一方、ステップＳ７３で対象物理チャンネルの中央セグメントのＴＳが受信されていないと判定された場合、または、ステップＳ７５で対象物理チャンネルがマルチセグメント放送の物理チャンネルではないと判定された場合、処理はステップＳ７９に進む。
【０１８３】
ステップＳ７９において、制御部２８０は、全ての物理チャンネルを対象物理チャンネルとしたかどうかを判定する。ステップＳ７９で全ての物理チャンネルを対象物理チャンネルとしていないと判定された場合、ステップＳ８０において、制御部２８０は、次の物理チャンネル（例えば、周波数が次に高い物理チャンネル）を対象物理チャンネルとして、処理をステップＳ７２に戻す。そして、全ての物理チャンネルを対象物理チャンネルとするまで、ステップＳ７２乃至Ｓ８０の処理が繰り返される。
【０１８４】
一方、ステップＳ７９で全ての物理チャンネルを対象物理チャンネルとしたと判定された場合、処理はステップＳ８１に進む。
【０１８５】
ステップＳ８１において、制御部２８０は、ステップＳ７４とステップＳ７８の処理で取得されたＮＩＴとＳＤＴに基づいて選局テーブルを作成する。そして、制御部２８０は、作成された選局テーブルを内蔵するメモリに記憶し、処理を終了する。
【０１８６】
このようにして、選局テーブル作成処理が実行される。
【０１８７】
図２６は、本技術を適用した受信端末２７０と、従来の受信端末２９０による地上波デジタル放送の受信について説明する図である。
【０１８８】
従来の受信端末２９０は、一般的に、受信端末２７０と同様に、各物理チャンネルの中央セグメントを、周波数の低い方から順にスキャンして、選局テーブルを作成する。しかしながら、受信端末２９０は、マルチセグメント放送に対応していないため、マルチセグメント放送が行われる物理チャンネルの中央セグメント以外のセグメントのスキャンを行わない。すなわち、従来の受信端末２９０は、マルチセグメント放送が行われる物理チャンネルの中央セグメントのＴＳに含まれるＮＩＴにおいて連結送信記述子が検出されても、当該物理チャンネルがマルチセグメント放送の物理チャンネルであるとは認識しないのである。
【０１８９】
従って、従来の受信端末２９０では、マルチセグメント放送が行われる物理チャンネルでも、他の物理チャンネルの場合と同様に中央セグメント以外のセグメントを選局することはできない。一方で、マルチセグメント放送が行われていても、従来の受信端末２９０が誤動作を起こすなどの問題は生じない。
【０１９０】
よって、受信端末２９０が地上波デジタル放送波を受信する場合、地上波デジタル放送波の各物理チャンネルの中央セグメントのＴＳに含まれるＮＩＴとＳＩＤに基づいて、選局テーブルが作成される。つまり、図１を参照して上述した処理によって選局テーブルが作成される。
【０１９１】
これに対して、本技術を適用した受信端末２７０が地上波デジタル放送波を受信する場合、図２５を参照して上述した処理によって選局テーブルが作成される。
【０１９２】
従って、図２６に示されるように、従来の受信端末２９０は、第１の物理チャンネル乃至第５の物理チャンネルにおいて、各物理チャンネルの中央セグメントの論理チャンネルのみを選局することができる。
【０１９３】
一方、本技術を適用した受信端末２７０は、第１の物理チャンネル、第３の物理チャンネル、および第４の物理チャンネルの各中央セグメントの論理チャンネルを選局することができる。さらに、受信端末２７０は、第２の物理チャンネルでは、中央セグメントを含む５つのセグメントの論理チャンネルを選局することができ、第５の物理チャンネルでは、中央セグメントを含む７つのセグメントの論理チャンネルを選局することができる。
【０１９４】
このように、本技術によれば、既存の地上デジタル放送受信に影響を与えず、地上デジタル放送の方式体系に整合をとり、インターオペラビリティが確保された放送システムを構築できる。また、この際、受信端末、送出設備ともに既存の構成を大きく変える必要はなく、低コストで実現できる。
【０１９５】
従って、本技術によれば、既存のインフラを活用しつつ、放送受信のみでマルチセグメント放送の選局を可能とする普遍的な選局を実現することができる。
【０１９６】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図２７に示されるような汎用のパーソナルコンピュータ７００などに、ネットワークや記録媒体からインストールされる。
【０１９７】
図２７において、ＣＰＵ（Central Processing Unit）７０１は、ＲＯＭ（Read Only Memory）７０２に記憶されているプログラム、または記憶部７０８からＲＡＭ（Random Access Memory）７０３にロードされたプログラムに従って各種の処理を実行する。ＲＡＭ７０３にはまた、ＣＰＵ７０１が各種の処理を実行する上において必要なデータなども適宜記憶される。
【０１９８】
ＣＰＵ７０１、ＲＯＭ７０２、およびＲＡＭ７０３は、バス７０４を介して相互に接続されている。このバス７０４にはまた、入出力インタフェース７０５も接続されている。
【０１９９】
入出力インタフェース７０５には、キーボード、マウスなどよりなる入力部７０６、ＬＣＤ(Liquid Crystal display)などよりなるディスプレイ、並びにスピーカなどよりなる出力部７０７、ハードディスクなどより構成される記憶部７０８、モデム、ＬＡＮカードなどのネットワークインタフェースカードなどより構成される通信部７０９が接続されている。通信部７０９は、インターネットを含むネットワークを介しての通信処理を行う。
【０２００】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０２０１】
上述した一連の処理をソフトウェアにより実行させる場合には、そのソフトウェアを構成するプログラムが、インターネットなどのネットワークや、リムーバブルメディア７１１などからなる記録媒体からインストールされる。
【０２０２】
なお、この記録媒体は、図２７に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているＲＯＭ７０２や、記憶部７０８に含まれるハードディスクなどで構成されるものも含む。
【０２０３】
なお、本明細書において上述した一連の処理は、記載された順序に沿って時系列的に行われる処理はもちろん、必ずしも時系列的に処理されなくとも、並列的あるいは個別に実行される処理をも含むものである。
【０２０４】
また、本技術の実施の形態は、上述した実施の形態に限定されるものではなく、本技術の要旨を逸脱しない範囲において種々の変更が可能である。
【０２０５】
なお、本技術は以下のような構成も取ることができる。
【０２０６】
（１）  放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、
前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、
前記連結送信記述子が取得された場合、前記物理チャンネル内の中央セグメント以外のセグメントを順次選局する他セグメント選局部と、
前記選局された各セグメントのトランスポートストリームに含まれる選局情報を取得して選局テーブルを作成する選局テーブル作成部と
を備える放送波受信装置。
（２）  前記放送波は、地上波デジタル放送の放送波であり、
前記記述子判定部は、
前記中央セグメントにおいて放送されるトランスポートストリームに含まれるＮＩＴ（Network Information Table）を取得し、
前記ＮＩＴに前記連結送信記述子が含まれているか否かを判定することで、前記連結送信記述子が取得されたか否かを判定する
（１）に記載の放送波受信装置。
（３）  前記放送波は、地上波デジタル放送の放送波であり、
前記記述子判定部は、
前記中央セグメントにおいて放送されるトランスポートストリームに含まれるＮＩＴ actualを取得し、
前記ＮＩＴ actualに前記連結送信記述子が含まれているか否かを判定することで、前記連結送信記述子が取得されたか否かを判定し、
前記他セグメント選局部は、
前記中央セグメントにおいて放送されるトランスポートストリームに含まれるＮＩＴ otherを取得し、
前記ＮＩＴ otherに記述された情報に基づいて、前記中央セグメント以外のセグメントのセグメント位置を特定して選局する
（１）に記載の放送波受信装置。
（４）  前記他セグメント選局部は、
前記連結送信記述子の記述に基づいて、前記所定の物理チャンネルの中のセカンダリセグメントのセグメント位置を特定して前記セカンダリセグメントを選局し、
前記セカンダリセグメントにおいて放送されるトランスポートストリームに含まれる情報に基づいて、前記中央セグメント以外のセグメントのセグメント位置を特定して選局する
（１）または（２）に記載の放送波受信装置。
（５）  前記他セグメント選局部は、
前記連結送信記述子に記述されたビットマップに基づいて、前記中央セグメント以外のセグメントのセグメント位置を特定して選局する
（１）または（２）に記載の放送波受信装置。
（６）  中央セグメント選局部が、放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局し、
記述子判定部が、前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定し、
他セグメント選局部が、前記連結送信記述子が取得された場合、前記物理チャンネル内の中央セグメント以外のセグメントを順次選局し、
選局テーブル作成部が、前記選局された各セグメントのトランスポートストリームに含まれる選局情報を取得して選局テーブルを作成するステップ
を含む放送波受信方法。
（７）  コンピュータを、
放送波を複数の周波数帯に分割することにより得られる複数の物理チャンネル、および前記物理チャンネルのそれぞれをさらに複数の周波数帯に分割することにより得られる複数のセグメントのうち、所定の物理チャンネルの予め定められたセグメント位置に配置される中央セグメントを選局する中央セグメント選局部と、
前記選局された中央セグメントにおいて放送されるトランスポートストリームに含まれる情報であって、前記所定の物理チャンネル内の複数のセグメントのＯＦＤＭ同期に係る情報が記述された連結送信記述子が取得されたか否かを判定する記述子判定部と、
前記連結送信記述子が取得された場合、前記物理チャンネル内の中央セグメント以外のセグメントを順次選局する他セグメント選局部と、
前記選局された各セグメントのトランスポートストリームに含まれる選局情報を取得して選局テーブルを作成する選局テーブル作成部とを備える放送波受信装置として機能させる
プログラム。
（８）  （７）に記載のプログラムが記録されている記録媒体。
（９）  放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、
前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、
前記多重化されて得られたトランスポートストリームを、前記中央セグメントの放送波として送信する送信部とを備え、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる
放送波送信装置。
（１０）  前記放送波は、地上波デジタル放送の放送波であり、
前記関連情報生成部は、
前記中央セグメントにおいて放送されるトランスポートストリームに含まれるＮＩＴ（Network Information Table）の一部に記述される、前記所定の物理チャンネル内の複数のセグメントのＯＦＤＭ同期に係る情報が記述された連結送信記述子を、前記マルチセグメント放送が行われることを表す情報として生成する
（９）に記載の放送波送信装置。
（１１）  前記放送波は、地上波デジタル放送の放送波であり、
前記関連情報生成部は、
前記中央セグメントにおいて放送されるトランスポートストリームに含まれるＮＩＴ actualの一部に記述される、前記所定の物理チャンネル内の複数のセグメントのＯＦＤＭ同期に係る情報が記述された連結送信記述子を、前記マルチセグメント放送が行われることを表す情報として生成し、
前記中央セグメントにおいて放送されるトランスポートストリームに含まれるＮＩＴ otherに記述される情報として、前記所定の物理チャンネル内の中央セグメント以外のセグメントのセグメント位置を特定するための情報を生成する
（９）に記載の放送波送信装置。
（１２）  前記放送波は、地上波デジタル放送の放送波であり、
前記関連情報生成部は、
前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、
前記連結送信記述子に、前記所定の物理チャンネルの中のセカンダリセグメントのセグメント位置を特定する情報を記述し、
前記セカンダリセグメントにおいて放送されるトランスポートストリームに、前記所定の物理チャンネル内の中央セグメント以外のセグメントのセグメント位置を特定するための情報が含まれる
（９）または（１０）に記載の放送波送信装置。
（１３）  前記放送波は、地上波デジタル放送の放送波であり、
前記関連情報生成部は、
前記中央セグメントにおいて放送されるトランスポートストリームに含まれるＮＩＴの一部に記述される、前記所定の物理チャンネル内の複数のセグメントのＯＦＤＭ同期に係る情報が記述された連結送信記述子を、前記マルチセグメント放送が行われることを表す情報として生成し、
前記連結送信記述子に記述されるビットマップを、前記所定の物理チャンネル内の中央セグメント以外のセグメントのセグメント位置を特定するための情報として生成する
（９）または（１０）に記載の放送波送信装置。
（１４）  関連情報生成部が、放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成し、
多重化部が、前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化し、
送信部が、前記多重化されて得られたトランスポートストリームを、前記中央セグメントの放送波として送信しステップを含み、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる
放送波送信方法。
（１５）  コンピュータを、
放送波を複数の周波数帯に分割することにより得られる複数の物理チャンネル、および前記物理チャンネルのそれぞれをさらに複数の周波数帯に分割することにより得られる複数のセグメントに対応する論理チャンネルの選局に関連する関連情報を生成する関連情報生成部と、
前記生成された関連情報が、前記所定の物理チャンネルの予め定められたセグメント位置に配置される中央セグメントにおいて放送されるトランスポートストリームに含まれるように、前記関連情報とオーディオデータまたはビデオデータとを多重化する多重化部と、
前記多重化されて得られたトランスポートストリームを、前記中央セグメントの放送波として送信する送信部とを備え、
前記関連情報には、所定の物理チャンネルにおいて、前記複数のセグメントのそれぞれが異なる放送を行うマルチセグメント放送が行われることを表す情報とともに、前記所定の物理チャンネル内の複数のセグメントのセグメント位置を特定するための情報が含まれる放送波送信装置として機能させる
プログラム。
（１６）  （１５）に記載のプログラムが記録されている記録媒体。
【符号の説明】
【０２０７】
２５０  マルチセグメント放送送信装置，  ２５１  関連情報生成部，  ２５２  ビデオデータ取得部，  ２５３  ビデオエンコーダ，  ２５４  オーディオデータ取得部，  ２５５  オーディオエンコーダ，  ２５６  マルチプレクサ，  ２５７  送信部，  ２７０  受信端末，  ２７１  アンテナ  ２７２  チューナ，  ２７３  デマルチプレクサ，  ２７４  ビデオデコーダ，  ２７５  選択部，  ２７６  表示部，  ２７７  オーディオデコーダ，  ２７９  ブラウザ，  ２８０  制御部
【図１】
2013055568.tif 000003
【図２】
2013055568.tif 000004
【図３】
2013055568.tif 000005
【図４】
2013055568.tif 000006
【図５】
2013055568.tif 000007
【図６】
2013055568.tif 000008
【図７】
2013055568.tif 000009
【図８】
2013055568.tif 000010
【図９】
2013055568.tif 000011
【図１０】
2013055568.tif 000012
【図１１】
2013055568.tif 000013
【図１２】
2013055568.tif 000014
【図１３】
2013055568.tif 000015
【図１４】
2013055568.tif 000016
【図１５】
2013055568.tif 000017
【図１６】
2013055568.tif 000018
【図１７】
2013055568.tif 000019
【図１８】
2013055568.tif 000020
【図１９】
2013055568.tif 000021
【図２０】
2013055568.tif 000022
【図２１】
2013055568.tif 000023
【図２２】
2013055568.tif 000024
【図２３】
2013055568.tif 000025
【図２４】
2013055568.tif 000026
【図２５】
2013055568.tif 000027
【図２６】
2013055568.tif 000028
【図２７】
2013055568.tif 000029